(57)【要約】【課題】機枠の四隅コーナーの支柱枠に対して水平枠の枠端部を、簡単なワンタッチ操作によって着脱し得る連結構造を備えた穀物用コンテナを提供する。【解決手段】収納タンク２を吊持する機枠１は、四隅コーナーの各支柱枠１１，１２の間にわたり収納タンク２の上部開口側を吊持する長辺中間枠１４と短辺中間枠３０とを備えている。長辺中間枠１４は、各支柱枠１１，１２に取り付けられる連結金具１７に連結機構１８を介して着脱可能に連結されている。連結金具１７は、機枠１の内側に向けて開口する枠連結部１７ａを備え、この枠連結部１７ａには、長辺中間枠１４に開口されているピン連結孔２０と同軸線上に開口させたピン挿通孔２１を備えている。連結機構１８は、ピン挿通孔２１を介して枠連結部１７ａ内へ出没するように連結金具１７に取り付けられてピン挿通孔２１からピン連結孔２０にわたり挿通される連結ピン１８ａと、この連結ピン１８ａをピン挿通孔２１方向へ常時付勢するための弾発部材１８ｂとを備えている。【選択図】図４
0003126866.tif 000002
【実用新案登録請求の範囲】
【請求項１】
シート材により上部開口に形成される収納タンクと、この収納タンクを吊持させるための機枠と、この機枠のベース部に首振り回動可能に設置される送出し器と、を備えて、前記収納タンクの下部開口を前記送出し器に接続させて貯溜されている穀物を、タンクの外に送出すように構成され、
かつ、前記機枠は、四隅コーナーに立設される各支柱枠と、この各支柱枠の間にわたり平面視で略矩形形状に枠組みされて前記収納タンクの上部開口側を吊持するための水平枠と、を備えて構成されている穀物用コンテナであって、
前記水平枠の枠端部を、前記各支柱枠に取り付けられる連結金具に連結機構を介して着脱可能に連結するように構成してなり、
前記連結金具は、前記水平枠の断面形状と略同じ程度で前記機枠の内側に向けて開口する断面視で略コの字形状に形成された枠連結部を備えていることを特徴とする穀物用コンテナ。
【請求項２】
前記連結金具の枠連結部は、前記水平枠の枠端部に開口されているピン連結孔と同軸線上に開口させたピン挿通孔を備え、
前記連結機構は、前記ピン挿通孔の軸芯延長線上において前記枠連結部内へ出没するように前記連結金具に取り付けられて、前記ピン挿通孔から前記ピン連結孔にわたり貫通状に挿通される連結ピンと、この連結ピンを前記ピン挿通孔方向へ常時付勢するための弾発部材と、を備えて形成されていることを特徴とする請求項１に記載の穀物用コンテナ。
【請求項３】
前記連結機構は、前記連結金具の枠連結部の内向き開口の一部または全体を閉鎖するように、前記連結金具に回動開閉可能に取り付けられる可動部材と、この可動部材が前記内向き開口を閉鎖した状態において、該可動部材に形成されている係止爪部を係脱自在に係止させるための係止部と、を備えて形成されていることを特徴とする請求項１に記載の穀物用コンテナ。
【考案の詳細な説明】
【技術分野】
【０００１】
本考案は、刈り取り収穫される米、麦などの穀物を、自宅や所定の処理施設（ライスセンタなどの目的地）まで搬送するためにトラックなどに搭載されて使用される穀物用コンテナに係り、特に、シート材を用いて形成される収納タンクを内側に吊持させるために平面視で略矩形形状に枠組み構成される機枠の構成枠材の一部を取り外すことによって折り畳まれるように構成されている穀物用コンテナに関する。
【背景技術】
【０００２】
シート材を用いて略漏斗状に形成されている収納タンクを、平面視で略矩形形状に枠組み構成されている機枠の内部に吊持状に取り付けて、刈り取り収穫される米、麦などの穀物を収納タンク内に貯溜し、トラックなどによって自宅や所定の処理施設（ライスセンタなど）へと搬送するように構成されている穀物用コンテナは知られている（特許文献１参照）。
【０００３】
ところで、穀物用コンテナは、穀物の収穫時期のみにおいて、トラックの荷台などに搭載されて使用され、その他の時期においてはトラックから降ろされて倉庫などの保管場所で保管される。
【特許文献１】特開２００５−２２７４２号（段落番号００２４、００２７、００３８、および図６参照）
【考案の開示】
【考案が解決しようとする課題】
【０００４】
しかしながら、特許文献１に開示されている従来の穀物用コンテナは、収納タンクを吊持させるための水平枠である梁の枠端部を、四隅コーナーの各支柱枠に取り付けられている連結金具である溝部材にピン止めやボルト止めによって連結させている。
そのために、穀物用コンテナをコンパクトにまとめて倉庫などの保管場所に保管するときに、水平枠体を各支柱枠の間から取り外すに際して、ピンやボルトを各支柱枠の連結金具から1本ずつ取り外さなければならず、面倒で手間の掛かるものとなっていた。
また、連結金具から取り外したピンやボルトが保管場所へ穀物用コンテナを移動（搬送）するときや、保管しているときなどに紛失するなどのおそれがあるなどの問題があった。
【０００５】
そこで、本考案は、前記課題を解消するために創案されたものであり、機枠を枠組み構成する四隅コーナーの支柱枠に対して水平枠の枠端部を、簡単な操作によって着脱可能に連結することができるように開発された新規な連結構造を備えている穀物用コンテナを提供することにある。
【課題を解決するための手段】
【０００６】
前記課題を解決するために、本考案では、シート材により上部開口に形成される収納タンクと、この収納タンクを吊持させるための機枠と、この機枠のベース部に首振り回動可能に設置される送出し器と、を備えて、前記収納タンクの下部開口を前記送出し器に接続させて貯溜されている穀物を、タンクの外に送出すように構成され、かつ、前記機枠は、四隅コーナーに立設される各支柱枠と、この各支柱枠の間にわたり平面視で略矩形形状に枠組みされて前記収納タンクを吊持する水平枠と、を備えて、この水平枠の少なくとも一部を前記支柱枠の間から取り外すことによって折り畳まれるように構成されている穀物用コンテナであって、
前記水平枠の枠端部を、前記各支柱枠に取り付けられる連結金具に連結機構を介して着脱可能に連結するように構成してなり、前記連結金具は、前記水平枠の断面形状と略同じ程度で前記機枠の内側に向けて開口する断面視で略コの字形状に形成されている枠連結部を備えていることを特徴とする（請求項１）。
【０００７】
請求項１に記載の構成によれば、四隅コーナーの各支柱枠の間にわたり取り付けられる水平枠の枠端部を、機枠の内側に向けて開口する連結金具の枠連結部に嵌め合わせ内在させた状態で、連結機構によって係脱（脱落）不能に連結することができる。
つまり、収納タンクを吊持するための水平枠を、機枠の内側から各支柱枠の連結金具の枠連結部に連結することができるように構成されていることで、収納タンクの送出し器に接続される下部開口から水平枠に吊持される上部開口側に至る範囲を緊張させた状態で収納タンクを機枠内に取り付け吊持させることができる。これにより、貯溜されている穀物をタンクの外に送出し排出するに際して、穀物を送出し器へと速やかに流下させてタンクの外へ送出すことができる。
【０００８】
また、本考案では、前記連結金具の枠連結部に、前記水平枠の枠端部に開口されているピン連結孔と同軸線上に開口させたピン挿通孔を備え、前記連結機構が、前記ピン挿通孔の軸芯延長線上において前記枠連結部内へ出没するように前記連結金具に取り付けられて、前記ピン挿通孔から前記ピン連結孔にわたり貫通状に挿通される連結ピンと、この連結ピンを前記ピン挿通孔方向へ常時付勢するための弾発部材と、を備えて形成されていることを特徴とする（請求項２）。
【０００９】
請求項２に記載の構成によれば、各支柱枠の連結金具の枠連結部に対する水平枠の連結とその連結解除とを、連結機構の連結ピンを弾発部材によってピン挿通孔からピン連結孔にわたり貫通状に挿通させたり、連結ピンを弾発部材に抗して引き抜くといった簡単な操作によって行うことができる。しかも、連結ピンは、枠連結部内へ出没するように連結金具に取り付けられていることで、穀物用コンテナを倉庫などの保管場所へ移動するときや、保管中において紛失するなどのおそれもない。
【００１０】
また、本考案では、前記連結機構が、前記連結金具の枠連結部の内向き開口の一部または全体を閉鎖するように、前記連結金具に回動可能に取り付けられる可動部材と、この可動部材が前記内向き開口を閉鎖した状態において、該可動部材に形成されている係止爪部を係脱可能に係止させるための係止部と、を備えて形成されていることを特徴とする（請求項３）。
【００１１】
請求項３に記載の構成によれば、各支柱枠の連結金具の枠連結部に対する水平枠の連結とその連結解除とを、連結機構の可動部材を回動させるといった簡単な操作によって行うことができる。しかも、回動部材は、連結金具に取り付けられていることによって、前記の請求項２のように、紛失するなどのおそれもない。
【考案の効果】
【００１２】
本考案の穀物用コンテナは、以上のように構成されていることで、シート材よって形成されている収納タンク内の穀物を残留させることなく、送出し器からタンクの外に送出し排出することができる。
また、四隅のコーナーの各支柱枠に取り付けられる連結金具の内向きに開口する枠連結部に対する水平枠の連結とその連結解除とを、連結機構の連結ピンの操作によって行うことができるように構成していることで、機枠をコンパクトに折り畳むときや、或いは機枠を分解してコンパクトにまとめるとき、そして、穀物の収穫時期に機枠を組み立てるときの水平枠の各支柱枠に対する着脱作業を、簡単な操作で行うことができる。これにより、取り扱い性の向上が図られる。
しかも、従来のコンテナのように、ピンなどが紛失するなどのおそれもない。
【考案を実施するための最良の形態】
【００１３】
以下、本考案の実施形態について、適宜図面を参照しながら詳細に説明する。
図１は、本実施形態に係る穀物用コンテナを示す側面図であり、図２は、同穀物用コンテナの背面図である。
なお、本実施形態では、倉庫などの保管場所に保管するときに、機枠をコンパクトに折り畳むことができるように構成されている折り畳み式タイプの穀物用コンテナを一例として挙げて説明するが、機枠を分解することによってコンパクト化することができるように構成されている分解式タイプの穀物用コンテナなどであってもよい。
【００１４】
≪穀物用コンテナの構成≫
穀物用コンテナＡは、図１および図２に示すように、機枠１を備え、この機枠１内に収納タンク２を吊持状に備えている。
また、穀物コンテナＡは、機枠１の後記するベース部１の中央部位に送出し部３を首振り回動可能に備え、この送出し部３には、収納タンク２に貯留されている穀物をタンクの外に送出し搬送するための移送ホース４が抜き差し自在に接続されるように構成されている。
【００１５】
≪機枠の構成≫
機枠１は、図２に示すように、角形パイプ材などからなる金属製の杆材を用いて枠組み形成されるベース部１−１と、このベース部１−１の上に折り畳み可能に枠組み立設されるタンク吊持部１−２とを備えて平面視で略矩形形状に枠組み構成される。
【００１６】
≪ベース部の構成≫
ベース部１−１は、穀物用コンテナＡが搭載される図示省略のトラックの荷台サイズにて前後方向に長い平面視で略矩形状に枠組み形成される底枠６の四隅コーナーに、適宜の高さを有するベース支柱５をそれぞれ立設している。そして、ベース部１−１は、底枠６の長辺両側においてそれぞれ隣り合う前後のベース支柱５の上端側の間にわたり長辺枠材７を溶接などによって架橋状に備えている。
また、ベース部１−１は、各ベース支柱５をそれぞれ補強するように、底枠６の短辺前後に筋交い８を溶接などによって傾斜状に備えている。
【００１７】
≪タンク吊持部の構成≫
タンク吊持部１−２は、図２に示すように、ベース部１−１の短辺左右において、各ベース支柱５に枢着されてベース部１−１の内側に折り畳まれるように枠組み立設される前後の折り畳み枠部９,１０を備えている。
また、このタンク吊持部１−２は、ベース部１−１の長辺両側において隣り合う後記する前後２本の支柱枠１１，１２の上端部にわたり長辺線状部材１３をそれぞれ架橋状に掛け渡すように取り付けることによって、この長辺線状部材１３に収納タンク２の長辺開口縁部をそれぞれ吊持させるように形成されている。
さらに、タンク吊持部１−２は、長辺線状部材１３よりも下方位置において、前後２本の支柱枠１１，１２の間にわたり水平枠である長辺中間枠１４をそれぞれ架橋状に取り付けることによって、この長辺中間枠１４に収納タンク２の長辺開口縁部側の途中部位を吊持させるように形成されている。
なお、図示を省略しているが、長辺線状部材１３に替えて、長辺中間枠１４を長辺上部枠として、長辺中間枠１４と同じように、前後２本の支柱枠１１，１２の上端部にわたりそれぞれ着脱可能に取り付けることができる。
【００１８】
長辺中間枠１４は、収納タンク２に貯溜される穀物の重さを支えるように、また、ベース部１−１の長辺両側において隣り合うそれぞれの前後２本の支柱枠１１，１２の間を保持するように、それぞれ前後２本の支柱枠１１，１２の間にわたり架橋状に取り付けられるものであり、前後２本の支柱枠１１，１２にそれぞれ取り付けられる連結金具１７と連結機構１８とによって前後２本の支柱枠１１，１２の間に着脱可能に取り付けられるように形成されている。
【００１９】
［第１の実施形態に係る連結構造の説明］
図３は、支柱枠に対する長辺中間枠の第１の実施形態に係る連結構造を示す要部の拡大断面図であり、図４は、同斜視図である。
【００２０】
≪連結金具の構成≫
第１の実施形態に係る連結構造を構成する連結金具１７は、前後の各支柱枠１１，１２に溶接などによって取り付けられるものであり、図３および図４に示すように、長辺中間枠１４の枠端部の断面形状と略同じ程度で機枠１の内側に向けて開口する断面視で略コの字形状に形成されている枠連結部１７ａと、この枠連結部１７ａの連設辺部１９の内向き開口縁から下方に向けて略クランク形状に折り曲げ連設させた装着部１７ｂとを備えて形成されている。
【００２１】
そして、連結金具１７は、枠連結部１７ａの連設辺部１９に、長辺中間枠１４の枠端部に開口されているピン連結孔２０と同軸線上に開口させたピン挿通孔２１を備えている。
また、連結金具１７の装着部１７ｂの下向きに垂設する垂直辺部２２の端面中央には、連結機構１８の後記する弾発部材１８ｂに抗して連結ピン１８ａを枠連結部１７ａから引き抜いたときに、その引き抜いた状態を保つためのピン止め部２３を備えている。
【００２２】
≪連結機構の構成≫
連結機構１８は、図３および図４に示すように、連結ピン１８ａと、この連結ピン１８ａを連結金具１７のピン連結孔２０方向へ常時付勢するための弾発部材１８ｂとを備えて構成されている。
【００２３】
連結ピン１８ａは、図３および図４に示すように、垂直なピン部２４と、このピン部２４から直角に連設させた操作部２５とから略Ｌ字形状に形成されている。この連結ピン１８ａは、ピン部２４を装着部１７ｂの連設辺部２６に開口さている装着孔２７に貫通状に組み込まれることによって、枠連結部１７ａのピン挿通孔２１から枠連結部１７ａ内へ出没移動可能に装着されるようになっている。
【００２４】
弾発部材１８ｂは、コイルスプリングなどからなり、連結ピン１８のピン部２４に取り付けられているバネ受け部２８と装着孔２７が開口されている装着部１７ｂの連設辺部２６との間においてピン部２４の外側に巻回されるように弾装されることによって、ピン部２４をピン挿通孔２１方向（枠連結部１７ａ内方向）へ常時付勢するように形成されている。
【００２５】
≪折り畳み枠部の構成≫
ここでは、図１および図２を適宜参照しながら説明する。
前後の折り畳み枠部９，１０は、図１および図２に示すように、ベース部１−１の各ベース支柱５の上端にそれぞれピン止めやボルト止めなどによって回動可能に枢着されて、この枢着部Ｐを支点として起倒動自在に立設される前後２本，計４本の支柱枠１１，１２をそれぞれ備えている。
そして、前後の折り畳み部材９，１０は、各支柱枠１１、１２のうち、ベース部１−１の短辺前後においてそれぞれ隣り合う左右２本の支柱枠１１，１１、１２，１２のそれぞれの上端部にわたり短辺上部枠２９をピン止めやボルト止めなどにより架橋状に取り付けることによって、この短辺上部枠２９に収納タンク２の短辺開口縁部をそれぞれ吊持させるように形成されている。
【００２６】
また、前後の折り畳み枠部９，１０は、短辺上部枠２９よりも下方位置において、左右２本の支柱枠１１，１１、１２，１２の間にわたり短辺中間枠３０をピン止めやボルト止めなどにより架橋状に取り付けることによって、この短辺中間枠３０に収納タンク２の短辺開口部側の途中部位を吊持させるように形成されている。
【００２７】
≪収容タンクの構成≫
ここでは、図１を適宜参照しながら説明する。
収納タンクＢは、テント地などの丈夫でかつ表面が滑らかなシート材を用いて縫製することにより、上部開口で、下部には送出し器に接続される下部開口を有する略漏斗形状に形成されている。
【００２８】
この収納タンク２は、図１に示すように、平面視で略矩形形状に開口する上部開口の長辺両側および短辺前後の各開口縁部から機枠１の長辺中間枠１４および短辺中間枠３０にそれぞれ対応する位置の間を構成する垂直面２ａと、この垂直面２ａの下端縁から収納タンク２の最底部中央に開口されている下部開口との間を連絡する略漏斗形状の傾斜面部２ｂとを備えて形成されている。
つまり、この収納タンク２は、上部開口から投入される米や麦などの穀物を、前記した略漏斗形状の傾斜面部２ｂを利用して最底部中央の下部開口へと流下集合させ、この下部開口が接続される送出し器３に速やかに供給することができるように形成されている。
【００２９】
そして、収納タンク２は、上部開口の長辺両側および短辺前後の各開口縁部の外周に沿って、タンク吊持部１−２の長辺線状部材１３および短辺上部枠２９をそれぞれ挿通させて吊持させるための略筒形状を呈する吊り部３１を周設している。また、この吊り部３１から下側へ所定寸法ずれた収納タンク２の外周面に沿って、吊り部３１と同様に略筒形状を呈する吊り部３２を周設し、この吊り部３２にタンク吊持部１−２の長辺中間枠１４および短辺中間枠３０をそれぞれ挿通させて吊持させるように形成されている。
【００３０】
図５は、タンク吊持部の支柱枠から長辺中間枠の枠端部を取り外す手順を示す要部の拡大断面図であり、図６は、穀物用コンテナを折り畳んだ状態の側面図である。
つぎに、本実施形態に係る穀物用コンテナＡを折り畳むときや組み立てるときの長辺中間枠１４の取り外しとその取り付け方について簡単に説明する。
まず、穀物用コンテナＡを折り畳むときには、左右両側の長辺中間枠１４の枠端部を、前後の折り畳み枠部９，１０のそれぞれの左右の支柱枠１１，１２から取り外す（図５の（ａ）から（ｂ）の二点鎖線の状態）。
このとき、連結機構１８の連結ピン１８ａを、弾発部材１８ｂに抗して連結金具１７の枠連結部１７ａから引き抜くことで行うことできる。引き抜いた連結ピン１８ａは、戻らないように、その操作部２５を連結金具１７の垂直辺部２２に備えられているピン止め部２３に引掛けておく（図５の（ｂ）の状態）。
前後の折り畳み枠部９，１０から取り外した左右両側の長辺中間枠１４は、収納タンクの吊り部３２から引き抜いて、ベース部１−１の上に載せておく。
【００３１】
このようにして、前後の折り畳み枠部９，１０の間から左右両側の長辺中間枠１４を取り外した後に、前側または後側のいずれか一方の折り畳み枠部９または１０をベース部の上に倒すように折り畳んだ後に、もう一方の折り畳み枠部１０または９を倒すように折り畳むことによって、穀物用コンテナをコンパクトに折り畳むことができる（図６参照）。
【００３２】
そして、穀物を収穫するときの組み立ては、前記した折り畳み手順を反対に行うことによって、収納タンク２を吊持しているタンク吊持部１−２をベース部１−１の上に組み立てることができる（図１および図２の状態）。
【００３３】
このように構成された連結構造を備えている穀物用コンテナＡによれば、ベース部の長辺両側において隣り合う前後の支柱枠１１，１２の間にわたり取り付けられる長辺中間枠１４の枠端部を、機枠１の内側に向けて開口する連結金具１７の枠連結部１７ａに嵌め合わせ内在させた状態で、連結機構１８の連結ピン１８ａによって脱落不能に連結するように構成されていることで、収納タンク２を緊張させた状態で機枠１内に吊持させることができる。
つまり、収納タンクの上部開口側を吊り部３２によって吊持する長辺中間枠１４を、機枠１の内側から支柱枠１１，１２の連結金具１７の枠連結部１７ａに連結することができるように構成されていることで、送出し器３に接続される収納タンク２の下部開口から長辺中間枠１４によって吊持される上部開口側に至る収納タンク２の傾斜面部２ｂを緊張させた状態で収納タンク２を機枠１内に取り付け吊持させることができる（図１参照）。これにより、貯溜されている穀物をタンクの外に送出し排出するに際して、穀物を送出し器３へと速やかに流下させてタンクの外へ送出すことができる。
【００３４】
また、前後の支柱枠１１，１２に取り付けられる連結金具１７の枠連結部１７ａに対する長辺中間枠１４の連結と、その連結解除とを、連結機構１８の連結ピン１８ａを弾発部材１８ｂによってピン挿通孔２１からピン連結孔２０に貫通状に挿通させたり、連結ピン１８ａを弾発部材１８ｂに抗して引き抜くといった簡単な操作によって行うことができる。
【００３５】
［第２の実施形態に係る連結構造の説明］
図７は、支柱枠に対する長辺中間枠の第２の実施形態に係る連結構造を示す要部の拡大断面図であり、図８は、同斜視図である。
なお、斯かる第２の実施形態に係る穀物用コンテナは、前記した第１の実施形態に係る穀物用コンテナと基本的に同じことから、同じ構成要素に同じ符号を付することで詳細については省略する。
【００３６】
≪連結金具の構成≫
第２の実施形態に係る連結構造を構成する連結金具３３は、前後の各支柱枠１１，１２に溶接などによって取り付けられるものであり、図７および図８に示すように、長辺中間枠１４の枠端部の断面形状と略同じ程度で機枠１の内側に向けて開口する断面視で略コの字形状に形成されている枠連結部３３ａを備えている。
【００３７】
連結機構３４は、図７および図８に示すように、連結金具２３の内向きに開口する枠連結部の開口下側を閉鎖するように、連結金具３２に回動可能に取り付けられる可動部材３４ａと、この可動部材３４ａの後記する係止爪部３５を係脱可能に係止させるための係止部３４ｂとを備えて形成されている。
【００３８】
可動部材３４ａは、金属製の板材を用いてプレス加工と折り曲げ加工とによって形成されるものであり、図７に示すように、縦長の長方形状を呈し、その長辺一側に操作摘み３６を備え、長辺他側の上側隅部には、側方に向けて延設させて下向きに突出させた係止爪部３５を備えている。
また、この可動部材は、縦長形状に開口させた回動孔３７を備えており、この回動孔３７が、枠連結部３３ａの開口下辺縁から下方に向けて折り曲げ形成されている垂下片部３８にボルトやピン３９などによって、回動可能で、かつ、移動可能に取り付けられるように形成されている。
【００３９】
係止部３４ｂは、図８に示すように、枠連結部３３ａの開口下辺縁から前方（機枠１の内側）に向けて平面視で略Ｌ字形状に形成されている突片４０によって、枠連結部３３ａの開口下辺縁との間に下向き開口に形成されている。
これにより、図７に示すように、枠連結部３３ａの開口下側を可動部材３４ａによって閉鎖した状態において、該可動部材３４ａが長辺中間枠１４により機枠１の内側方向に押せれるなどによって枠連結部３３ａから係脱（離脱）しないように、係止爪部３５が係止されるようにしている。
【００４０】
このように構成されている第２の実施形態に係る連結構造によれば、穀物用コンテナＡを組み立てたり、コンパクトに折り畳むときにおける支柱枠１１，１２の連結金具３３の枠連結部３３ａに対する長辺中間枠１４の連結と、その連結解除とを、連結機構３４の可動部材３４ａを回動させるといった簡単な操作によって行うことができる。
【００４１】
なお、図示を省略しているが、機枠１の内側に向けて開口する枠連結部３３ａの開口を全面閉鎖することができるように、連結機構３４の可動部材３４ａを形成することができる。
また、前記した第２の実施形態では、可動部材３４ａが枠連結部３３ａを閉鎖した状態において、係止部３４ｂに対する係止爪部３５の係止によって、可動部材３４ａの閉鎖状態を保持する。つまり、枠連結部３３ａの開口下側において、一ヶ所のみの係止によって、可動部材３４ａの閉鎖状態を保持するようにしているが、開口上側においても係脱可能に係止させるなど、数ヶ所において係止させるように形成することができる。
【図面の簡単な説明】
【００４２】
【図１】本実施形態に係る穀物用コンテナを示す側面図である。
【図２】同穀物用コンテナの背面図である。
【図３】第1の実施形態に係る長辺中間枠の支柱枠に対する連結構造を示す要部の拡大断面図である。
【図４】同連結構造を示し、（ａ）は、斜視図であり、（ｂ）は、長辺中間枠の枠端部を支柱枠から取り外した状態の同斜視図である。
【図５】長辺中間枠の枠端部を支柱枠から取り外すときの手順を示す要部の拡大断面図である。
【図６】穀物用コンテナを折り畳んだ状態の側面図である。
【図７】第２の実施形態に係る長辺中間枠の支柱枠に対する連結構造を示す要部の拡大断面図である。
【図８】同連結構造を示し、（ａ）は、斜視図であり、（ｂ）は、長辺中間枠の枠端部を支柱枠から取り外した状態の同斜視図である。
【符号の説明】
【００４３】
Ａ    穀物用コンテナ
１    機枠
１−１  ベース部
１−２  タンク吊持部
３    送出し部
４    移送ホース
５    ベース支柱
９，１０  折り畳み枠部
１１，１２  支柱枠
１４  長辺中間枠（水平枠）
１７，３３  連結金具
１７ａ，３３ａ  枠連結部
１８，３４  連結機構
１８ａ  連結ピン
１８ｂ  弾発部材
２０  ピン連結孔
２１  ピン挿通孔
２９  短辺上部枠（水平枠）
３０  短辺中間枠（水平枠）
３４ａ  可動部材
３４ｂ  係止部
３５  係止爪部
【図１】
0003126866.tif 000003
【図２】
0003126866.tif 000004
【図３】
0003126866.tif 000005
【図４】
0003126866.tif 000006
【図５】
0003126866.tif 000007
【図６】
0003126866.tif 000008
【図７】
0003126866.tif 000009
【図８】
0003126866.tif 000010